(57)【要約】【課題】  シリンジのラベルに使用期限等を読みやすく表示する。【解決手段】  シリンジ（１９ａ）内に充填される薬液に関し所定事項を表示する表示部（２０ａ）が透明な基材シート（１８）の表面に不透明な塗膜によって形成され、この表示部にレーザー光の照射により上記所定事項が印字されたシリンジ用ラベル（１７）が、粘着剤層（１６）を介してシリンジに貼着される。基材シートよりも下側の層の裏面に表示部の塗膜の色とは異なる色の塗膜によって遮蔽部（２８）が形成される。シリンジ用ラベルの表示部の地色とシリンジ側の色とが同色であっても表示部の文字の下に存在する遮蔽部の塗膜によって文字が視認可能となる。【選択図】  図２
2006220695.tif 000002
【特許請求の範囲】
【請求項１】
離型シート上に透明な粘着剤層を介して薬剤具用ラベルの透明な基材シートが貼着され、この基材シートの表面に、薬剤具内に充填される薬剤に関し所定事項を表示する表示部が不透明な塗膜によって形成された薬剤具用ラベルシートにおいて、基材シートの裏面又は基材シートよりも下側の層の表面又は裏面に表示部の塗膜の色とは異なる色の塗膜によって遮蔽部が形成されたことを特徴とする薬剤具用ラベルシート。
【請求項２】
離型シート上に透明な粘着剤層を介してシリンジ用ラベルの透明な基材シートが貼着され、この基材シートの表面に、シリンジ内に充填される薬液に関し所定事項を表示する表示部が不透明な塗膜によって形成されたシリンジ用ラベルシートにおいて、基材シートの裏面又は基材シートよりも下側の層の表面又は裏面に表示部の塗膜の色とは異なる色の塗膜によって遮蔽部が形成されたことを特徴とするシリンジ用ラベルシート。
【請求項３】
シリンジ内に充填される薬液に関し所定事項を表示する表示部が透明な基材シートの表面に不透明な塗膜によって形成され、この表示部にレーザー光の照射により上記所定事項が印字されたシリンジ用ラベルが、粘着剤層を介して貼着されたシリンジにおいて、基材シートの裏面又は基材シートよりも下側の層の表面又は裏面に表示部の塗膜の色とは異なる色の塗膜によって遮蔽部が形成されたことを特徴とするシリンジ。
【請求項４】
シリンジ内に充填される薬液に関し所定事項を表示する表示部が透明な基材シートの表面に不透明な塗膜によって形成され、この表示部にレーザー光の照射により上記所定事項が印字されたシリンジ用ラベルが、粘着剤層を介して貼着されたシリンジと、シリンジを収容する透明部分を有した包装部材とを具備したシリンジ包装体において、基材シートの裏面又は基材シートよりも下側の層の表面又は裏面に表示部の塗膜の色とは異なる色の塗膜によって遮蔽部が形成されたことを特徴とするシリンジ包装体。
【請求項５】
請求項１乃至請求項４のいずれかに記載の薬剤具用ラベルシート、シリンジ用ラベルシート、シリンジ又はシリンジ包装体において、上記遮蔽部の塗膜が粘着剤層の下面に付着していることを特徴とする薬剤具用ラベルシート、シリンジ用ラベルシート、シリンジ又はシリンジ包装体。
【請求項６】
請求項１乃至請求項４のいずれかに記載の薬剤具用ラベルシート、シリンジ用ラベルシート、シリンジ又はシリンジ包装体において、上記遮蔽部の塗膜が基材シートの下面に付着していることを特徴とする薬剤具用ラベルシート、シリンジ用ラベルシート、シリンジ又はシリンジ包装体。
【請求項７】
請求項１乃至請求項６のいずれかに記載の薬剤具用ラベルシート、シリンジ用ラベルシート、シリンジ又はシリンジ包装体において、表示部が所定の色の塗膜により形成され、遮蔽部が上記所定の色に対しコントラストの大きい色の塗膜により形成されたことを特徴とする薬剤具用ラベルシート、シリンジ用ラベルシート、シリンジ又はシリンジ包装体。
【請求項８】
請求項３乃至請求項７のいずれかに記載のシリンジ又はシリンジ包装体において、レーザー光がＣＯ2レーザー光であることを特徴とするシリンジ又はシリンジ包装体。
【請求項９】
請求項３乃至請求項７のいずれかに記載のシリンジ又はシリンジ包装体において、レーザー光の照射方法がガルバノスキャニング方式であることを特徴とするシリンジ又はシリンジ包装体。
【請求項１０】
請求項３乃至請求項９のいずれかに記載のシリンジ又はシリンジ包装体において、シリンジがプレフィルドシリンジであることを特徴とするシリンジ又はシリンジ包装体。
【発明の詳細な説明】
【技術分野】
【０００１】
本発明は、シリンジ、輸液バッグ、アンプル等の医薬品容器や医療用具すなわち薬剤具に貼着するラベルシート、ラベルを付した薬剤具、ラベルを付した薬剤具の包装体に関する。
【背景技術】
【０００２】
従来、シリンジには予め薬液が充填された状態のプレフィルドシリンジがあり、このようなシリンジは、図６に示すようなシリンジ用ラベルシート１から剥がしたシリンジ用ラベル２が貼着された状態で包装され保管される。このシリンジ用ラベル２の表面には、「製造番号」、「使用期限」等の文字３，４、薬液の種類を表す文字５等が印刷により記され、「製造番号」及び「使用期限」の文字３，４に対応して表示部６が黒色インキで長方形にベタ刷りされることにより形成される。
【０００３】
図７において、符号７はシリンジ用ラベル２の透明な基材シートを示し、符号８は基材シート７上に積層された「製造番号」の文字３等を表示するインキ層を示し、符号６ａは基材シート７上に積層された表示部６を形成するための黒色インキ層を示す。また、符号１０は黒色のインキ層を示し、上記黒色インキ層６ａの下地として形成される。
【０００４】
このシリンジ用ラベル２の基材シート７は、図７に示すように、その裏面に粘着剤層１１が形成され、この粘着剤層１１を介して離型シート１２上に担持される。シリンジ用ラベル２の表示部６には、シリンジ用ラベル２が離型シート１２で担持された状態でレーザー光が照射され、図６に示すように「製造番号」及び「使用期限」の文字３，４に対応して製造番号、使用期限の日付を示す文字３ａ，４ａが印字される。この印字は表示部６の黒色インキ層６ａ，１０をレーザー光で除去することにより行われる。図７中符号ａはレーザー光によりインキ層６ａ，１０が除去された箇所を示す。印字が終了した後、シリンジ用ラベル２が離型シート１２から粘着剤層１１ごと剥がされ、図８（Ａ）に示すようにシリンジ１３のバレル１３ａの表面に貼着される。
【０００５】
また、シリンジ用ラベル２の貼着の前後において、図８（Ａ）に示すように、シリンジ１３のシリンジ用ラベル２に表示された種類及び量の薬液が先端の吐出部１３ｃにキャップ１３ｄが被せられたバレル１３ａ内に充填される。シリンジ用ラベル２が貼着されたシリンジ１３は、ブリスター包装等により包装され、オートクレーブ等により滅菌処理されるか、或いは、滅菌された薬液を無菌的に充填した後、ブリスター包装、ピロー包装等により包装され、包装体のまま保管される（例えば、特許文献１，２参照。）。
【０００６】
医師等の医療従事者は、シリンジ１３の使用に際し、包装体を開封し、また、透明性の高い包装体では開封することなく包装体を通してシリンジ用ラベル２に記された薬液の製造番号、使用期限等の文字３ａ，４ａの表示を見て使用期限等を確認した上で患者の体内に薬液を注入する。
【０００７】
【特許文献１】特開２００２−２５３６４１号公報
【特許文献２】特開２００４−３５０２４号公報
【発明の開示】
【発明が解決しようとする課題】
【０００８】
従来のシリンジ用ラベルによれば、図７に示したように、レーザー光により除去された黒色インキ層６ａ，１０の印字に対応する箇所から下の基材シート７が覗いており、シリンジ用ラベル２を離型シート１２から剥がしてシリンジ１３の表面に貼着すると、表示部６の文字３ａ，４ａを視認することができる。ところが、シリンジ用ラベル２の基材シート７、粘着剤層１１、シリンジ１３のバレル１３ａは通常の場合透明に形成されることから、薬液が黒色、茶色等濃色であるときは、図８（Ａ）中ハッチングで示すように、表示部６の黒色インキ層６ａと薬液の色との重畳により、表示部６の文字が地色に溶け込んで消失し、シリンジ用ラベル２から使用期限等を確認することができなくなる。また、図８（Ｂ）に示すプランジャー１３ｂの先端に位置するガスケット１３ｅは通常の場合黒色のゴムで形成されていることから、シリンジ用ラベル２の表示部６下にガスケット１３ｅが停止すると、図８（Ｂ）中ハッチングで示すように、表示部６の黒色インキ層６ａとガスケット１３ｅの黒色ゴムとの重畳により、表示部６の文字３ａ，４ａが地色に溶け込んで消失する。この場合も表示部６に印字された文字３ａ，４ａを視認し得なくなり、シリンジ用ラベル２から使用期限等を確認することができなくなる。
【０００９】
従って、本発明は上記問題点を解決する手段を提供することを目的とする。
【課題を解決するための手段】
【００１０】
上記課題を解決するため、請求項１に係る発明は、離型シート（１５）上に透明な粘着剤層（１６）を介して薬剤具用ラベル（１７）の透明な基材シート（１８）が貼着され、この基材シート（１８）の表面に、薬剤具内に充填される薬剤に関し所定事項を表示する表示部（２０）が不透明な塗膜によって形成された薬剤具用ラベルシートにおいて、基材シート（１８）の裏面又は基材シート（１８）よりも下側の層の表面又は裏面に表示部（２０）の塗膜の色とは異なる色の塗膜によって遮蔽部（２８，３１）が形成された薬剤具用ラベルシートを採用する。
【００１１】
また、請求項２に係る発明は、離型シート（１５）上に透明な粘着剤層（１６）を介してシリンジ用ラベル（１７）の透明な基材シート（１８）が貼着され、この基材シート（１８）の表面に、シリンジ（１９）内に充填される薬液に関し所定事項を表示する表示部（２０）が不透明な塗膜によって形成されたシリンジ用ラベルシート（１４）において、基材シート（１８）の裏面又は基材シート（１８）よりも下側の層の表面又は裏面に表示部（２０）の塗膜の色とは異なる色の塗膜によって遮蔽部（２８，３１）が形成されたシリンジ用ラベルシートを採用する。
【００１２】
また、請求項３に係る発明は、シリンジ（１９）内に充填される薬液に関し所定事項を表示する表示部（２０）が透明な基材シート（１８）の表面に不透明な塗膜によって形成され、この表示部（２０）にレーザー光の照射により上記所定事項が印字されたシリンジ用ラベル（１７）が、粘着剤層（１６）を介して貼着されたシリンジ（１９）において、基材シート（１８）の裏面又は基材シート（１８）よりも下側の層の表面又は裏面に表示部（２０）の塗膜の色とは異なる色の塗膜によって遮蔽部（２８，３１）が形成されたシリンジを採用する。
【００１３】
また、請求項４に係る発明は、シリンジ（１９）内に充填される薬液に関し所定事項を表示する表示部（２０）が透明な基材シート（１８）の表面に不透明な塗膜によって形成され、この表示部（２０）にレーザー光の照射により上記所定事項が印字されたシリンジ用ラベル（１７）が、粘着剤層（１６）を介して貼着されたシリンジ（１９）と、シリンジ（１９）を収容する透明部分を有した包装部材（２９ａ，２９ｂ）とを具備したシリンジ包装体（２９）において、基材シート（１８）の裏面又は基材シート（１８）よりも下側の層の表面又は裏面に表示部（２０）の塗膜の色とは異なる色の塗膜によって遮蔽部（２８，３１）が形成されたシリンジ包装体を採用する。
【００１４】
また、請求項５に係る発明は、請求項１乃至請求項４のいずれかに記載の薬剤具用ラベルシート、シリンジ用ラベルシート、シリンジ又はシリンジ包装体において、上記遮蔽部（２８）の塗膜が粘着剤層（１６）の下面に付着している薬剤具用ラベルシート、シリンジ用ラベルシート、シリンジ又はシリンジ包装体を採用する。
【００１５】
また、請求項６に係る発明は、請求項１乃至請求項４のいずれかに記載の薬剤具用ラベルシート、シリンジ用ラベルシート、シリンジ又はシリンジ包装体において、上記遮蔽部（３１）の塗膜が基材シート（１８）の下面に付着している薬剤具用ラベルシート、シリンジ用ラベルシート、シリンジ又はシリンジ包装体を採用する。
【００１６】
また、請求項７に係る発明は、請求項１乃至請求項６のいずれかに記載の薬剤具用ラベルシート、シリンジ用ラベルシート、シリンジ又はシリンジ包装体において、表示部（２０）が所定の色の塗膜により形成され、遮蔽部（２８，３１）が上記所定の色に対しコントラストの大きい塗膜により形成された薬剤具用ラベルシート、シリンジ用ラベルシート、シリンジ又はシリンジ包装体を採用する。
【００１７】
また、請求項８に係る発明は、請求項３乃至請求項７のいずれかに記載のシリンジ又はシリンジ包装体において、レーザー光がＣＯ2レーザー光であるシリンジ又はシリンジ包装体を採用する。
【００１８】
また、請求項９に係る発明は、請求項３乃至請求項７のいずれかに記載のシリンジ又はシリンジ包装体において、レーザー光の照射方法がガルバノスキャニング方式であるシリンジ又はシリンジ包装体を採用する。
【００１９】
また、請求項１０に係る発明は、請求項３乃至請求項９のいずれかに記載のシリンジ又はシリンジ包装体において、シリンジがプレフィルドシリンジであるシリンジ又はシリンジ包装体を採用する。
【発明の効果】
【００２０】
請求項１に係る発明によれば、離型シート（１５）上に透明な粘着剤層（１６）を介して薬剤具用ラベル（１７）の透明な基材シート（１８）が貼着され、この基材シート（１８）の表面に、薬剤具内に充填される薬剤に関し所定事項を表示する表示部（２０）が不透明な塗膜によって形成された薬剤具用ラベルシートにおいて、基材シート（１８）の裏面又は基材シート（１８）よりも下側の層の表面又は裏面に表示部（２０）の塗膜の色とは異なる色の塗膜によって遮蔽部（２８，３１）が形成された薬剤具用ラベルシートであるから、レーザー光の照射により上記所定事項の文字（２４ａ，２５ａ）を表示部（２０）に刻む場合に、遮蔽部（２８，３１）の塗膜はレーザー光によって侵食されず残留する。このため、薬剤具用ラベル（１７）を薬剤具に貼着した場合に表示部（２０）の地色と薬剤具側の色とが同色であっても表示部（２０）の文字（２４ａ，２５ａ）の下に存在する遮蔽部（２８，３１）の塗膜によって文字が視認可能となる。
【００２１】
請求項２に係る発明によれば、離型シート（１５）上に透明な粘着剤層（１６）を介してシリンジ用ラベル（１７）の透明な基材シート（１８）が貼着され、この基材シート（１８）の表面に、シリンジ（１９）内に充填される薬液に関し所定事項を表示する表示部（２０）が不透明な塗膜によって形成されたシリンジ用ラベルシート（１４）において、基材シート（１８）の裏面又は基材シート（１８）よりも下側の層の表面又は裏面に表示部（２０）の塗膜の色とは異なる色の塗膜によって遮蔽部（２８，３１）が形成されたシリンジ用ラベルシートであるから、レーザー光の照射により上記所定事項の文字（２４ａ，２５ａ）を表示部（２０）に刻む場合に、遮蔽部（２８，３１）の塗膜はレーザー光によって侵食されず残留する。このため、シリンジ用ラベル（１７）をシリンジ（１９）に貼着した場合に表示部（２０）の地色とシリンジ（１９）側の色とが同色であっても表示部（２０）の文字（２４ａ，２５ａ）の下に存在する遮蔽部（２８，３１）の塗膜によって文字が視認可能となる。
【００２２】
請求項３に係る発明によれば、シリンジ（１９）内に充填される薬液に関し所定事項を表示する表示部（２０）が透明な基材シート（１８）の表面に不透明な塗膜によって形成され、この表示部（２０）にレーザー光の照射により上記所定事項が印字されたシリンジ用ラベル（１７）が、粘着剤層（１６）を介して貼着されたシリンジ（１９）において、基材シート（１８）の裏面又は基材シート（１８）よりも下側の層の表面又は裏面に表示部（２０）の塗膜の色とは異なる色の塗膜によって遮蔽部（２８，３１）が形成されたシリンジ（１９）であるから、シリンジ用ラベル（１７）の表示部（２０）の地色とシリンジ（１９）側の色とが同色であっても表示部（２０）の文字（２４ａ，２５ａ）の下に存在する遮蔽部（２８，３１）の塗膜によって文字（２４ａ，２５ａ）が視認可能となる。従って、表示部（２０）に表示された所定事項が例えば使用期限である場合には、シリンジ（１９）内に充填された薬液の適否等を確認することができる。
【００２３】
請求項４に係る発明によれば、シリンジ（１９）内に充填される薬液に関し所定事項を表示する表示部（２０）が透明な基材シート（１８）の表面に不透明な塗膜によって形成され、この表示部（２０）にレーザー光の照射により上記所定事項が印字されたシリンジ用ラベル（１７）が、粘着剤層（１６）を介して貼着されたシリンジ（１９）と、シリンジ（１９）を収容する透明部分を有した包装部材（２９ａ，２９ｂ）とを具備したシリンジ包装体（２９）において、基材シート（１８）の裏面又は基材シート（１８）よりも下側の層の表面又は裏面に表示部（２０）の塗膜の色とは異なる色の塗膜によって遮蔽部（２８，３１）が形成されたシリンジ包装体（２９）であるから、シリンジ用ラベル（１７）の表示部（２０）の地色とシリンジ（１９）側の色とが同色であっても表示部（２０）の文字（２４ａ，２５ａ）の下に存在する遮蔽部（２８，３１）の塗膜によって包装体（２９）の外から文字（２４ａ，２５ａ）が視認可能となる。従って、表示部（２０）に表示された所定事項が例えば使用期限である場合には、シリンジ（１９）内に充填された薬液の適否等を包装体（２９）を開封しなくとも確認することができる。
【００２４】
請求項５に係る発明によれば、請求項１乃至請求項４のいずれかに記載の薬剤具用ラベルシート、シリンジ用ラベルシート、シリンジ又はシリンジ包装体において、上記遮蔽部（２８）の塗膜が粘着剤層（１６）の下面に付着していることから、遮蔽部（２８）の塗膜を粘着剤層（１６）の粘着力により担持することができる。
【００２５】
請求項６に係る発明によれば、請求項１乃至請求項４のいずれかに記載の薬剤具用ラベルシート、シリンジ用ラベルシート、シリンジ又はシリンジ包装体において、上記遮蔽部（３１）の塗膜が基材シート（１８）の下面に付着していることから、遮蔽部（３１）の塗膜を粘着剤層（１６）により保護することができる。
【００２６】
請求項７に係る発明によれば、請求項１乃至請求項６のいずれかに記載の薬剤具用ラベルシート、シリンジ用ラベルシート、シリンジ又はシリンジ包装体において、表示部（２０）が所定の色の塗膜により形成され、遮蔽部（２８，３１）が上記所定の色に対しコントラストの大きい塗膜により形成されたことから、表示部（２０）に刻まれた所定事項の文字（２４ａ，２５ａ）と表示部（２０）の地色とのコントラストを高め、文字（２４ａ，２５ａ）を視認しやすくすることができる。
【００２７】
請求項８に係る発明によれば、請求項３乃至請求項７のいずれかに記載のシリンジ又はシリンジ包装体において、レーザー光がＣＯ2レーザー光であることから、表示部（２０）が基材シート（１８）に比べてＣＯ2レーザー光の吸収性能が高く、ＣＯ2レーザー光により表示部（２０）が容易に除去される反面、隠蔽部（２８，３１）が容易に除去されないようにすることができる。それに伴い、レーザー光の照射による印字の際、レーザー光の照射出力範囲を広く設定することができ、レーザー光照射装置の出力調整を容易に行うことができる。
【００２８】
請求項９に係る発明によれば、請求項３乃至請求項７のいずれかに記載のシリンジ又はシリンジ包装体において、レーザー光の照射方法がガルバノスキャニング方式であることから、レーザー光の照射精度を高め、照射速度を高速化し、表示の明瞭化と高速印字を達成することができる。
【００２９】
請求項１０に係る発明によれば、請求項３乃至請求項９のいずれかに記載のシリンジ又はシリンジ包装体において、シリンジがプレフィルドシリンジであることから、プレフィルドシリンジ内の薬液の使用期限等を表示することができる。
【発明を実施するための最良の形態】
【００３０】
以下、図面を参照して本発明を実施するための最良の形態について説明する。
【００３１】
＜実施の形態１＞
図１及び図２（Ａ）（Ｂ）（Ｃ）（Ｄ）に示すように、このプレフィルドシリンジ用ラベルシート１４は、離型シート１５上に透明（半透明も含む。）な粘着剤層１６を介してシリンジ用ラベル１７の透明な基材シート１８が貼着され、この基材シート１８の表面に、図４に示すシリンジ１９内に充填される薬液に関し所定事項を表示する表示部２０が不透明な塗膜によって形成されることにより構成される。図４に示すシリンジ１９は薬液がすでに充填されたプレフィルドシリンジである。
【００３２】
シリンジ用ラベル１７の基材シート１８は、透明な長方形の樹脂フィルムで形成され、例えばシリンジ１９のバレル１９ａを作る材料と同じポリプロピレンにより形成される。
【００３３】
この基材シート１８の表面には、例えば病院の部屋番号、患者の名前等の記入欄２１が白色インキのベタ刷りにより形成され、薬液の種類を表す文字２２、薬液の充填量を表す文字２３、薬液の注入量を示す目盛２７等が黒色インキにより印刷される。また、表示部２０に表示する所定事項の項目である「製造番号」、「使用期限」等の文字２４，２５が黒色インキにより印刷され、「製造番号」及び「使用期限」の文字２４，２５に対応して長方形の表示部２０が黒色インキにより不透明な塗膜としてベタ刷りされる。もちろん、これらの印刷インキは白色、黒色に限らずほかの色であってもよいし、表示する内容も文字に限らず図形、記号等であってもよい。また、所定事項の項目も製造番号、使用期限に限らず自在に増減可能である。
【００３４】
なお、図２（Ａ）（Ｂ）（Ｃ）（Ｄ）において、符号２６は基材シート１８上に積層された「製造番号」の文字等２４，２５を表示するインキ層を示し、符号２０ａは基材シート１８上に積層された表示部２０を形成するための黒色インキ層を示し、符号２３ａは基材シート１８上に積層された薬液の量の文字２３を表示するインキ層を示す。
【００３５】
図２（Ａ）（Ｂ）（Ｃ）（Ｄ）に示すように、このシリンジ用ラベル１７の基材シート１８は、その裏面に粘着剤が塗布されることにより粘着剤層１６が形成され、この粘着剤層１６の粘着力により離型シート１５上に接着される。
【００３６】
離型シート１５は、シリンジ用ラベル１７を担持するためのもので、透明又は不透明な枚葉又は連続状の例えばポリプロピレンフィルムから作られる。離型シート１５は、表面が剥離処理された紙であってもよい。離型シート１５が連続状である場合は、その上にシリンジ用ラベル１７が一定ピッチで接着保持される。
【００３７】
図２（Ａ）（Ｂ）（Ｃ）（Ｄ）に示すように、基材シート１８よりも下側の層である粘着剤層１６の裏面には、上記表示部２０を覆うように表示部２０の塗膜の色とは異なる色の塗膜によって遮蔽部２８が形成される。この塗膜は例えば白色インキを粘着剤層１６の裏面にベタ印刷することにより形成される。図示例では遮蔽部２８は表示部２０と同形同大に形成されるが、異なる形状でもよいし、大面積の形状でもよい。また、白色インキに限らず、表示部２０の塗膜の色と異なる色のインキを自在に選択可能である。
【００３８】
シリンジ用ラベル１７の表示部２０には、シリンジ用ラベル１７が離型シート１５に担持された状態で図示しない印字装置によりレーザー光が照射され、図１及び図２（Ｂ）に示すように、「製造番号」及び「使用期限」の各文字２４，２５に対応して製造番号の文字２４ａ、使用期限の日付の文字２５ａが印字される。この印字は表示部２０の黒色インキ層からなる塗膜における製造番号の文字２４ａ、使用期限の日付の文字２５ａに対応した箇所をレーザー光で除去することにより行われる。図２（Ｂ）中、符号Ａはレーザー光によりインキ層２０ａが除去された箇所を示す。図示例では、製造番号が「ＳＲ２３」、使用期限が「２０１０．Ｏｃ（西暦２０１０年１０月）」と表示される。印字する文字は印字装置を操作することにより自在に変更可能である。図２（Ｂ）に示すように、レーザー光により表示部２０の塗膜に文字が刻まれるが、遮蔽部２８の白色の塗膜はレーザー光によって侵されずそのまま残留する。これにより、表示部２０の黒色の地色上に遮蔽部２８の白色が「ＳＲ２３」、「２０１０．Ｏｃ」の文字となって現れる。
【００３９】
レーザー光としては、例えばＣＯ2レーザー光が用いられ、また、その照射方法として例えばガルバノスキャニング方式が採用される。
【００４０】
表示部２０と遮蔽部２８は黒色、白色に限らず色違いであればほかの色であってもよいが、表示部２０を黒色の塗膜により形成し、遮蔽部２８を白色の塗膜により形成すると、表示部２０に刻まれた所定事項の文字２４ａ，２５ａと表示部２０の地色とのコントラストが高まるので、文字２４ａ，２５ａが視認しやすくなる。また、表示部２０を白色の塗膜により形成し、遮蔽部２８を黒色の塗膜により形成してもよい。また、表示部２０に印字する内容は文字に限らず図形、記号等であってもよい。
【００４１】
シリンジ用ラベル１７の表示部２０に対する上記所定事項の印字が終了すると、図２（Ｃ）に示すように、このシリンジ用ラベル１７が離型シート１５から粘着剤層１６ごと剥がされ、図２（Ｄ）に示すようにシリンジ１９のバレル１９ａの表面に貼着される。
【００４２】
シリンジ用ラベル１７の貼着の前後において、図４（Ａ）に示すように、プランジャー１９ｂがバレル１９ａ外へ引かれ、吐出部１９ｃにゴム製のキャップ１９ｄが被せられたシリンジのバレル１９ａ内に、シリンジ用ラベル１７に表示された種類及び量の薬液が充填される。上述したように、レーザー光の照射により所定事項の文字２４ａ，２５ａを表示部２０に刻む場合に、遮蔽部２８の塗膜はレーザー光によって侵されず残留しているので、シリンジ用ラベル１７をシリンジ１９に貼着した場合に表示部２０の地色とシリンジ１９側の色とが同色であっても表示部２０の文字の下に存在する遮蔽部２８の塗膜によって文字２４ａ，２５ａが視認可能となる。
【００４３】
すなわち、図２（Ｄ）に示すように、レーザー光により印字された表示部２０の塗膜の下方は遮蔽部２８の塗膜により光学的に遮断されているので、シリンジ用ラベル１７の基材シート１８、粘着剤層１６、シリンジ１９のバレル１９ａが透明に形成され、薬液が黒色、茶色等濃色であるとしても、図４（Ａ）中ハッチングで示すように、表示部２０の文字２４ａ，２５ａが薬液の地色に溶け込むことなく、外部から視認可能となり、使用期限等を確認することができる。また、図４（Ｂ）に示すようにプランジャー１９ｂのガスケット１９ｅが黒色等の濃い色のゴムで形成され、シリンジ用ラベル１７の表示部２０が他の位置に形成され、この表示部２０の下にこのガスケット１９ｅが停止した場合であっても、表示部２０とガスケット１９ｅとの間に遮蔽部２８が介在することになるので、図４（Ｂ）中ハッチングで示すように、表示部２０の文字２４ａ，２５ａがガスケット１９ｅの地色に溶け込むことなく、外部から視認可能となり、使用期限等を確認することができる。
【００４４】
シリンジ用ラベル１７が貼着されたシリンジ１９は、図５（Ａ）（Ｂ）に示すように、ブリスター等の包装容器に包装され、包装体２９として処理され、搬送される。ブリスター等の包装容器は、シリンジ１９を収容する透明又は不透明の凹部材２９ａと滅菌蒸気等を透過するベース部材（ガスバリア性であってもよい。）２９ｂとを備える。凹部材２９ａは透明又は不透明の樹脂シートを絞り成形等により成形することによりシリンジ１９を収納する凹部を付与される。凹部はシリンジ１９の形状に倣った形状であるが、バレル１９ａに対応する部分は包装体２９を開封した時に作業者等が指を差し込んで摘みやすくするため大きく膨らんだ膨出部３０とし形成される。ベース部材２９ｂは滅菌蒸気等を透過する紙等で形成され、凹部材の周縁部にヒートシール等により接着される。凹部材２９ａ及びベース部材２９ｂは共に細菌、塵埃等を通さない材料で形成される。この包装体２９は、図示しないオートクレーブにより高圧蒸気で滅菌処理され、包装体２９のまま保管される。あるいは、無菌的に充填包装される。
【００４５】
なお、包装体２９の包装材としては袋を用いることも可能である。また、滅菌手段として高圧蒸気による滅菌処理のほか、ガンマ線、電子線等の放射線滅菌処理を採用することも可能である。
【００４６】
次に、上記構成のシリンジ用ラベルシート、シリンジ、シリンジ包装体の作用について説明する。
【００４７】
図１及び図２（Ａ）に示すようなシリンジ用ラベルシート１４を用意する。なお、図１において表示部２０には当初印字されていない。
【００４８】
このシリンジ用ラベルシート１４におけるシリンジ用ラベル１７の表示部２０に対し、図示しない印字装置によりレーザー光を照射し、図１及び図２（Ｂ）に示すように、「製造番号」及び「使用期限」の各文字２４，２５に対応して製造番号の文字２４ａ、使用期限の日付の文字２５ａを印字する。図２（Ｂ）に示すように、レーザー光により表示部２０の塗膜に文字が刻まれるが、遮蔽部２８の塗膜はレーザー光によって侵食されずそのまま残留する。
【００４９】
シリンジ用ラベル１７の表示部２０に対する所定事項の印字が終了すると、図２（Ｃ）に示すように、このシリンジ用ラベル１７を離型シート１５から粘着剤層１６ごと剥がし、図２（Ｄ）及び図４（Ａ）に示すようにシリンジ１９のバレル１９ａの表面に貼着する。
【００５０】
また、シリンジ用ラベル１７の貼着の前後において、図４（Ａ）に示すように、プランジャー１９ｂがバレル１９ａの外方向に引かれ、吐出部１９ｃにゴム製のキャップ１９ｄが被せられたシリンジ１９のバレル１９ａ内に、シリンジ用ラベル１７に表示された種類及び量の薬液を充填する。
【００５１】
図５（Ａ）（Ｂ）に示すように、シリンジ用ラベル１７が貼着され、薬液が充填されたシリンジ１９をブリスター包装容器により包装する。この包装体２９をオートクレーブにより高圧蒸気で滅菌処理し、その後、運搬し、保管する。運搬、保管の際も包装体２９内は無菌状態に保持される。
【００５２】
医師等の医療従事者は、シリンジ１９の使用に際し、包装体２９の内部におけるシリンジ１９に貼着されたシリンジ用ラベル１７を透明部分から透かして見る。
【００５３】
シリンジ用ラベル１７における遮蔽部２８の塗膜はレーザー光によって侵されず残留しているので、シリンジ用ラベル１７の表示部２０の地色とシリンジ１９側の色とが同色又は同系色であっても、表示部２０の文字２４ａ，２５ａの下に存在する遮蔽部２８の塗膜によって文字２４ａ，２５ａが視認可能である。
【００５４】
すなわち、図２（Ｄ）に示すように、レーザー光により印字された表示部２０の塗膜の下方は遮蔽部２８の塗膜により光学的に遮断されることから、薬液が黒色、茶色等濃色である場合であっても、図４（Ａ）中ハッチングで示すように、表示部２０の文字２４ａ，２５ａが薬液の地色に溶け込むことなく、外部から視認可能である。医療従事者は、表示部２０上に表示された使用期限等を確認し、包装体２９を開封する。
【００５５】
また、図４（Ｂ）に示すように、シリンジ用ラベル１７の表示部２０の下にガスケット１９ｅが停止した場合であっても、図４（Ｂ）中ハッチングで示すように、表示部２０の文字２４ａ，２５ａがガスケット１９ｅの地色に溶け込むことなく、外部から視認可能であり、使用期限等の確認が可能である。
【００５６】
包装体２９の開封は、図５（Ａ）（Ｂ）においてベース部材２９ｂを凹部材２９ａから剥がすことにより行う。医療従事者は、ベース部材２９ｂを除去した後、透明部材２９ａの膨出部３０内に指を差し込みシリンジ１９のバレル１９ａを摘んで凹部材２９ａ外に取り出し、シリンジ１９の吐出部１９ｃからキャップ１９ｄを外し、吐出部１９ｃに図示しない針を装着し、空気を抜き、目盛をあわせた後、プランジャー１９ｂを押し込んで患者の体内に薬液を注入する。
【００５７】
＜実施の形態２＞
図３（Ａ）（Ｂ）（Ｃ）（Ｄ）に示すように、この実施の形態２のシリンジ用ラベルシート、シリンジ又はシリンジ包装体における遮蔽部３１は、実施の形態１の場合と異なる位置に設けられる。
【００５８】
すなわち、シリンジ用ラベルシート、シリンジ又はシリンジ包装体において、遮蔽部３１の塗膜が基材シート１８の下面に付着している。遮蔽部３１の塗膜をこのような位置に設けることによっても、表示部２０（図１参照）へ照射するレーザー光によって遮蔽部３１の塗膜が損傷を受けないようにし、実施の形態１の場合と同様な効果を得ることができる。
【００５９】
また、図３（Ｃ）に示すように、この実施の形態２によれば、離型シート１５を剥がした後において、遮蔽部３１の塗膜が粘着剤層１６により保護される。また、遮蔽部３１の塗膜下も粘着剤層１６で覆われるのでシリンジ１９の表面へのシリンジ用ラベル１７の貼着力が高まる。
【００６０】
その他、図３において図２における部分と同じ部分は同じ参照符号を付して示すこととし、重複した説明を省略する。
【００６１】
なお、本発明は上記実施の形態に限定されるものではなく適宜変更可能であり、例えば上記実施の形態におけるシリンジ用ラベル基材シートは他の材料を積層しその層に対して遮蔽部の塗膜を付着させてもよい。また、注射器に代え他のシリンジについて本発明を適用することも可能である。包装体の包装もブリスター包装に代えて他の包装形式を採用することも可能である。また、上記実施の形態では表示部２０であるインキ層２０ａを遮蔽部２８，３１より食み出る大きさとしたが、遮蔽部２８，３１をインキ層２０ａから食み出る大きさとしてもよいし、互いに重なり合う同じ大きさとしてもよく、或いは両者の位置を互いにずらせるようにしてもよい。また、上記実施の形態ではインキ層２０ａを黒色とし、遮蔽部２８，３１を白色インキで形成したが、インキ層２０ａを白色とし、遮蔽部２８，３１を黒色インキで形成してもよい。また、本発明は上記実施の形態で例示したシリンジに限定されるものでもない。例えば、薬液、粉末製剤、栄養剤等を充填した輸液バッグ、点滴バッグ、経腸栄養剤バッグ等のバッグや、アンプル、薬剤用瓶等の注射剤容器や、採血管等の医療用具や、その他各種の医薬品容器及び医療用具を含む薬剤具全般に適用可能である。
【図面の簡単な説明】
【００６２】
【図１】本発明に係るシリンジ用ラベルシートの展開図である。
【図２】図１中、ＩＩ−ＩＩ線矢視断面を模式的に示す図であり、（Ａ）は印字前、（Ｂ）は印字後、（Ｃ）は離型シートを剥離した後、（Ｄ）はシリンジのシリンジに貼着した後をそれぞれ示す。
【図３】本発明の他の実施の形態に係るシリンジ用ラベルシートを示す、図２と同様な断面図である。
【図４】本発明に係るシリンジの平面図であり、（Ａ）はシリンジのバレル内の薬液が表示部の塗膜と同色であっても表示部の文字が視認可能である状態を示し、（Ｂ）はシリンジのガスケットがシリンジ用ラベルの表示部の直下で停止しても表示部の文字が視認可能である状態を示す。
【図５】本発明に係るシリンジ包装体を示し、（Ａ）は平面図、（Ｂ）は垂直断面図である。
【図６】従来のシリンジ用ラベルシートの展開図である。
【図７】図６中、ＶＩＩ−ＶＩＩ線矢視断面を模式的に示す図である。
【図８】従来のシリンジの平面図であり、（Ａ）はシリンジのバレル内の薬液が表示部の塗膜と同色であることにより表示部の文字が消えた状態を示し、（Ｂ）はシリンジのガスケットがシリンジ用ラベルの表示部の直下で停止することにより表示部の文字が消えた状態を示す。
【符号の説明】
【００６３】
１４…シリンジ用ラベルシート
１５…離型シート
１６…粘着剤層
１７…シリンジ用ラベル
１８…基材シート
１９…シリンジ
２０…表示部
２８，３１…遮蔽部
２９…シリンジ包装体
２９ａ…凹部材
２９ｂ…ベース部材
【図１】
2006220695.tif 000003
【図２】
2006220695.tif 000004
【図３】
2006220695.tif 000005
【図４】
2006220695.tif 000006
【図５】
2006220695.tif 000007
【図６】
2006220695.tif 000008
【図７】
2006220695.tif 000009
【図８】
2006220695.tif 000010